(57)【要約】【課題】光パルスに強度変調を施す際の出力強度の変動を十分に抑制することができる変調装置を得る。【解決手段】変調装置を、強度変調手段１０１と、検出手段１０２と、制御手段１０３とを備える構成とする。強度変調手段１０１は、入力された光パルスに強度変調を施して出力パルスとして出力する。検出手段１０２は、出力パルスの強度を検出する。制御手段１０３は、出力パルスの強度を基に変調量を補正して、最大出力以外の複数段階で設定されている強度から選択された出力強度となるように強度変調手段１０１の変調量を制御する。【選択図】      図１
2015122675.tif 000002
【特許請求の範囲】
【請求項１】
入力された光パルスに強度変調を施して出力パルスとして出力する強度変調手段と、
前記出力パルスの強度を検出する検出手段と、
前記出力パルスの強度を基に変調量を補正して、最大出力以外の複数段階で設定されている強度から選択された出力強度となるように前記強度変調手段の変調量を制御する制御手段と
を備えていることを特徴とする変調装置。
【請求項２】
前記強度変調手段は、所定の位相変調法および光の干渉効果を用いて強度変調を施すことを特徴とする請求項１に記載の変調装置。
【請求項３】
前記出力パルスを、１つの光パルスに含まれる平均光子数が所定の数以下となるように減衰する減衰手段をさらに備え、
前記検出手段は、前記減衰手段で減衰が行われる前に前記出力パルスの強度を測定することを特徴とする請求項１または２いずれかに記載の変調装置。
【請求項４】
前記強度変調手段は、前記光パルスに前記強度変調を施す際に、１つの光パルスに含まれる平均光子数が所定の数以下となるような強度の前記出力パルスとすることを特徴とする請求項１または２いずれかに記載の変調装置。
【請求項５】
前記制御手段は、前記強度変調手段の位相変調量の変動に対する出力強度の変動が最大となる強度を、複数段階で設定されている強度のうちの最大強度として制御することを特徴とする請求項２から４いずれかに記載の変調装置。
【請求項６】
請求項１から５いずれかに記載の変調装置と、
前記光パルスを生成する光源と、
を備えていることを特徴とする送信装置。
【請求項７】
請求項６に記載の送信装置と、
前記出力パルスを受信する受信手段と、受信した前記出力パルスの光子数を検出する光子検出手段とを有する受信装置と
を備えていることを特徴とする通信システム。
【請求項８】
入力された光パルスに強度変調を施して出力パルスとして出力し、
前記出力パルスの強度を検出し、
前記光パルスの強度を基に変調量を補正して、最大出力以外の複数段階で設定されている強度から選択された出力強度となるように変調量を制御することを特徴とする変調方法。
【請求項９】
所定の位相変調法および光の干渉効果を用いて強度変調を施すことを特徴とする請求項８に記載の変調方法。
【請求項１０】
位相変調量の変動に対する出力強度の変動が最大となる強度を、複数段階で設定されている強度のうちの最大強度として変調量を制御することを特徴とする請求項８に記載の変調方法。
【発明の詳細な説明】
【技術分野】
【０００１】
本発明は、量子暗号通信システムに関するものであり、特に、デコイ方式を用いた量子暗号鍵を伝送する技術に関するものである。
【背景技術】
【０００２】
情報通信社会の発展とともに通信ネットワーク上で様々な情報の伝達が行われるようになり、秘匿性の高い情報も通信ネットワークで伝送できることが期待される。そのため、情報を伝送する過程において秘匿性の高い情報が第三者に漏れること、すなわち、盗聴行為を防ぎ安全に通信相手と情報を共有するための暗号化通信の技術の開発が盛んに行われている。
【０００３】
安全性が極めて高い暗号化通信方式としては、例えば、量子暗号鍵配送（Quantum Key Distribution；ＱＫＤ）方式を用いた量子暗号通信システムがある。量子暗号鍵方式では、単一光子に情報を付加して伝送を行うことが理想である。伝送路で第三者が盗聴行為を試みても、一度観測した光子を完全に元の量子状態に戻すことはできない。よって、単一光子の場合は、受信データの変化から盗聴行為が行われたことを検知することができる。しかし、単一光子を安定して生成する光源を得ることは難しく、レーザ光源からの出力光を極めて低い強度にまで弱めることによって、疑似的な単一光子を得る方法が用いられることが多い。
【０００４】
レーザ光源からの疑似的な単一光子を用いた場合、１つのパルスには一定確率で２つ以上の光子が含まれることが避けられない。１つのパルスに２つ以上の光子が含まれる場合は、第三者が伝送路上で光子の情報の盗聴を行っても、盗聴行為を検知することができなくなる。１つのパルスに２つ以上の光子が含まれる方式に対しての盗聴方法としては、例えば、光子数分割攻撃（Photon Number Splitting attack；ＰＮＳ攻撃）と呼ばれる盗聴方法がある。ＰＮＳ攻撃が可能である場合、量子鍵配送方式の量子暗号通信システムの安全性が大きく低下する。ＰＮＳ攻撃に対応するための手段としては、例えば、デコイ方式が用いられることがある。
【０００５】
デコイ方式は、デコイ光、すなわち、囮となる光パルスを信号として用いる光パルスの間に含めて送信して、送信側の情報と受信側での検出結果等を照合して盗聴行為の有無を推定する方式である。デコイ方式では３種類以上の強度の光パルスが用いられる。３種類の強度の光パルスを用いたデコイ方式の場合には、３種類の強度設定のうち、１つの強度が信号光の光パルスに割り当てられ、残りの２つの強度がデコイ光の光パルスに割り当てられる。信号光は量子暗号鍵の情報の伝送のために用いられる光パルスである。デコイ方式では、例えば、送信される光パルスのうち９０パーセントの光パルスが信号光として用いられ、残りの１０パーセントの光パルスがデコイ光として用いられる。２つのデコイ光の割合は、６パーセントと４パーセントのように設定される。
【０００６】
デコイ方式においては、３種類の強度の光パルスを生成するための強度変調器が必要である。また、光通信においては信号の処理を高速に行う必要があり、強度変調器についても光の強度を高速に変調することが要求される。デコイ方式において光パルスに強度変調を施す際の強度変調器としては、例えば、マッハツェンダ干渉計による干渉効果と位相変調を組み合わせた、ＬＮ（Lithium Niobate）強度変調器が適している。ＬＮ強度変調器は、入力された光パルスを２つの導波路に分岐する。２つの導波路に分岐された光パルスにはそれぞれの導波路に備えられた位相変調器により位相変調が施される。それぞれの導波路で位相変調が施された光パルスは、干渉効果により１つの光パルスとして出力される。ＬＮ強度変調器は、２つのパルスに施す位相変調の変調量を制御し、位相の異なる光パルスを干渉させることにより強度変調を行っている。よって、ＬＮ強度変調器は、２つのパルスにそれぞれ施す位相変調量の差、すなわち、位相差により強度変調量を制御している。
【０００７】
量子暗号鍵方式の量子暗号通信システムでは１パルスに含まれる平均光子数が極めて小さいため、デコイ方式に用いる強度の異なる光パルスを生成する際には、精度の高い強度変調が必要となる。しかし、強度変調器の導波路は温度の変化等によって光路長が変動する。そのため、それぞれの光パルスに施した位相変調量が同一であったとしても、光路長の変動により意図した位相差とは異なる位相差で干渉が行われる可能性がある。その結果、位相差のずれにより出力される光パルスの強度が意図した強度からずれた状態となり得る。また、位相変調時に光パルスに電界をかけるための電極に印加する電圧値の変動によっても、位相変調量に変化が生じ、強度変調器からの出力強度が変動することがある。デコイ方式において、信号光およびデコイ光の強度の精度を高めることは重要な技術の１つである。そのため、強度変調器で生じるこのような強度の変動を抑制する技術の検討が行われている。デコイ方式において、強度変調器で生じる出力強度の変動を抑制する技術としては、例えば、特許文献１に開示された技術がある。
【０００８】
特許文献１には、デコイ方式用の強度の異なる光パルスを生成するために量子暗号送信装置に備えられたＬＮ強度変調器が、変調量を補正することにより出力強度の変動を抑制する技術が示されている。特許文献１の量子暗号送信装置には、ＬＮ強度変調器からの出力強度の変動を抑えるために、ＬＮ強度変調器の位相変調量を補正する機能を有する制御回路が備えられている。制御回路は、量子暗号受信装置が検出し、通信ネットワークを介して送信してくる光子数の情報を基に位相変調量の補正量を判断している。特許文献１では、信号光が強度変調器の最大出力強度となるように設定されているので、検出された光子数は、ほぼ信号光の光子数を示している。特許文献１では、受信側から送られてくる光子数の情報を基に強度の変動の有無を判断して、位相変調の際の電極への印加電圧を制御することにより、強度変調器からの出力強度の変動を抑制している。また、特許文献１には、強度変調器の後段に光検出器を備えて、量子暗号送信装置内での強度の検出結果を基に補正を行う技術も開示されている。特許文献１は、このような方法を用いることで、強度の小さな光パルスを用いるような場合においても、長時間安定した強度変調の動作を行うことができるとしている。
【先行技術文献】
【特許文献】
【０００９】
【特許文献１】国際公開第２００９／０１１２５５号
【発明の概要】
【発明が解決しようとする課題】
【００１０】
しかしながら、特許文献１の技術は次のような点で十分ではない。特許文献１では、信号光の光パルスに強度変調器の出力強度が最大となる強度を用いている。位相変調を用いた強度変調器において、最大出力強度の付近では位相差の変動に対しての強度変化が最も小さい。すなわち、最大出力強度の付近では、光路長の変化や電極に印加される電圧の変化等によって生じる強度の変動が小さいので、強度の変動から位相差の変動を精度よく検出できないことがある。その結果、位相変調量の変動を十分に検出できずに、位相変調量の変動に対しての強度の変動が大きいデコイ光の強度が大きく変動した状態で通信を継続してしまう恐れがある。そのため、特許文献１の技術は、出力光の安定した強度を得るために、強度の変動を抑制する必要があるデコイ方式を用いた量子暗号通信システムに用いる技術としては十分ではない。本発明は、光パルスに強度変調を施す際の出力強度の変動を十分に抑制することができる変調装置を得ることを目的としている。
【課題を解決するための手段】
【００１１】
上記の課題を解決するため、本発明の変調装置は、強度変調手段と、検出手段と、制御手段とを備えている。強度変調手段は、入力された光パルスに強度変調を施して出力パルスとして出力する。検出手段は、出力パルスの強度を検出する。制御手段は、出力パルスの強度を基に変調量を補正して、最大出力以外の複数段階で設定されている強度から選択された出力強度となるように強度変調手段の変調量を制御する。
【００１２】
本発明の変調方法は、入力された光パルスに強度変調を施して出力パルスとして出力し、出力パルスの強度を検出する。また、本発明の変調方法は、光パルスの強度を基に変調量を補正して、最大出力以外の複数段階で設定されている強度から選択された出力強度となるように変調量を制御する。
【発明の効果】
【００１３】
本発明によると、光パルスに強度変調を施す際の出力強度の変動を十分に抑制することができる。
【図面の簡単な説明】
【００１４】
【図１】本発明の第１の実施形態の構成の概要を示す図である。
【図２】本発明の第２の実施形態の構成の概要を示す図である。
【図３】本発明の第２の実施形態における各信号の強度と頻度を示した図である。
【図４】本発明の第２の実施形態における装置の一部分の構成を示す図である。
【図５】本発明の第２の実施形態における出力強度の特性のグラフを示した図である。
【図６】本発明の第２の実施形態における変調量、出力強度および信号の種類の関係を示した図である。
【図７】本発明と対比した例における出力強度の特性のグラフを示した図である。
【図８】本発明と対比した例における変調量、出力強度および信号の種類の関係を示した図である。
【発明を実施するための形態】
【００１５】
本発明の第１の実施形態について図を参照して詳細に説明する。図１は本実施形態の変調装置の構成の概要を示したものである。本実施形態の変調装置は、強度変調手段１０１と、検出手段１０２と、制御手段１０３とを備えている。強度変調手段１０１は、入力された光パルスに強度変調を施して出力パルスとして出力する。検出手段１０２は、出力パルスの強度を検出する。制御手段１０３は、出力パルスの強度を基に変調量を補正して、最大出力以外の複数段階で設定されている強度から選択された出力強度となるように強度変調手段１０１の変調量を制御する。
【００１６】
本実施形態の変調装置は、制御手段が強度変調の変調量を補正しつつ、最大強度以外の強度となるように制御し、強度変調手段が光パルスに強度変調を施している。最大強度以外の強度では最大強度に比べ変調量の変動に対する強度の変動が大きい。そのため、最大強度以外の強度では最大強度に比べ変調量の変動が検出しやすい。よって、最大強度以外の強度で強度変調し、変調量変動を検出することにより変調量の補正の精度が向上する。変調量の補正の精度が向上することにより、強度変調手段から出力される光パルスの強度の設定された強度からの変動を抑制することができる。その結果、本実施形態の変調装置では、光パルスに強度変調を施す際の出力強度の変動を十分に抑制することができる。
【００１７】
本発明の第２の実施形態について図を参照して詳細に説明する。図２は本実施形態の量子暗号通信システムの構成の概要を示したものである。
【００１８】
本実施形態の量子暗号通信システムは、量子暗号送信装置１０と、量子暗号受信装置２０とを備えている。また、本実施形態の量子暗号通信システムは、量子暗号送信装置１０から量子暗号鍵を量子暗号受信装置２０へと送る光ネットワーク３１を備えている。また、量子暗号送信装置１０および量子暗号受信装置２０は、通信ネットワーク３２を介して接続されている。
【００１９】
量子暗号送信装置１０は、光源部１１と、符号化部１２と、デコイ用変調部１３と、光減衰部１４と、光検出部１５と、鍵蒸留処理部１６とを備えている。光源部１１は、光パルスを出力する機能を有する。本実施形態では、光源部１１は半導体レーザを備え、所定の波長および強度の光パルスを出力する。
【００２０】
符号化部１２は、鍵蒸留処理部１６からの情報に基づいて、入力された光パルスに暗号鍵情報を付加するための変調を施して出力する機能を有する。本実施形態では、ＢＢ８４プロトコルに従って符号化された情報が位相変調方式により光パルスに付加される。ＢＢ８４プロトコルは、ベネット（Bennett）とブラザード（Brassard）によって１９８４年に提案された量子鍵配送方式のプロトコルである。本実施形態の符号化部１２は、マッハツェンダ干渉計および位相変調器を備えている。符号化部１２に入力された光パルスは、光路差の異なる導波路を備えるマッハツェンダ干渉計によって、２連パルスに分離される。符号化部１２の位相変調器は２連パルスの位相差が、鍵蒸留処理部１６から入力された情報に対応した位相差になるように光パルスに位相変調を施す。本実施形態では、鍵蒸留処理部１６から入力される４種類の符号に対応して位相差が０、π、π／２、３π／２のいずれかとなるように位相変調が施される。本実施形態の符号化部１２は、光パルスに4種類の符号に対応した位相変調を施すために２値化に対応した２台の位相変調器、または、４値化に対応した１台の位相変調器を備えている。
【００２１】
デコイ用変調部１３は、デコイ方式に対応した異なる強度の光パルスを生成するために、光パルスに強度変調を施す機能を有する。本実施形態の量子暗号通信システムでは、デコイ方式に対応した３つの強度の光パルスが設定されている。図３は本実施形態の３つの強度の光パルスの信号光およびデコイ光への割り当てを示した表である。図３では、信号光を信号光（Ｓ）、デコイ光を囮１（Ｄ）、囮２（Ｚ）として示している。また、図３の強度は、信号光およびデコイ光がそれぞれ１パルスあたりに含む平均の光子数を示している。図３で示されている強度は、光減衰部１４で減衰処理が行われた後に１つのパルスに含まれる平均光子数である。図３の強度比は、信号光の強度を１とした場合の、デコイ光の相対的な強度を示している。図３の混合割合は、全ての数の光パルスに対して、信号光またはデコイ光としてそれぞれ選択される光パルスの数の割合を示している。図３に示す通り、３つの強度のうち最大となる強度が信号光に割り当てられている。また、信号光は９０パーセントの割合で選択される。残り２つの強度は２つのデコイ光にそれぞれ割り当てられている。信号光の強度を１とすると、２つのデコイ光の強度は0.4および０の強度がそれぞれ割り当てられる。また、0.4の強度のデコイ光は６パーセント、０の強度のデコイ光は４パーセントの割合で選択される。本実施形態の量子暗号通信システムでは、送信する光パルスの９０パーセントの数の光パルスを信号光として用いて、残りの１０パーセントの数の光パルスをデコイ光として用いている。
【００２２】
本実施形態のデコイ用変調部１３には、ＬＮ（Lithium Niobate）強度変調器を用いることができる。ＬＮ強度変調器は、マッハツェンダ干渉計による光の干渉効果と位相変調方式を組み合わせた強度変調器である。ＬＮ強度変調器は、入力された光パルスを２つの導波路に分岐して、それぞれの導波路を通る光パルスに位相変調を施した後に干渉させて１つの導波路に出力する。ＬＮ強度変調器では、２つの導波路をそれぞれ通る光パルスの位相変調量を制御することにより、位相変調量の差、すなわち、２つの導波路を通る光パルスの位相差に応じた強度の光パルスを生成することができる。
【００２３】
図４は、本実施形態のデコイ用変調部１３の構成の概要を示している。図４に示す通り、デコイ用変調部１３は、制御部４１と、補正量制御部４２と、第１の位相変調部４３と、第２の位相変調部４４とを備えている。デコイ用変調部１３に入力された光パルスは、２つの導波路へと分岐され、それぞれの導波路上に備えられた位相変調部で変調されたのちに１つの導波路へと送られて、デコイ用変調部１３から出力される。
【００２４】
制御部４１は、鍵蒸留処理部１６から送られてくる光パルスの強度の情報に基づいて、第１の位相変調部４３および第２の位相変調部４４でそれぞれ光パルスに施す位相変調量を算出する。制御部４１は、出力する光パルスの強度と第１の位相変調部４３および第２の位相変調部４４で光パルスに施す位相変調量の関係をあらかじめ保存している。制御部４１は、算出した位相変調量を第１の位相変調部４３および第２の位相変調部４４が電極に印加する電圧値を示す信号に変換して第１の位相変調部４３および第２の位相変調部４４へと送る。制御部４１は位相変調量と電圧値の関係をあらかじめ保存している。また、制御部４１は、位相変調量を算出する際に、補正量制御部４２から送られてくる補正量の情報を用いて位相変調量を補正する。
【００２５】
補正量制御部４２は、光検出部１５から送られてくる強度の情報に基づいて、位相変調量の補正量を算出する機能を有する。補正量制御部４２は、検出される強度と位相変調量の補正量の関係をあらかじめ保存している。補正量制御部４２は、位相変調量の補正量の情報を制御部４１へと送る。
【００２６】
第１の位相変調部４３および第２の位相変調部４４は、入力されてくる光パルスに位相変調を施す。第１の位相変調部４３および第２の位相変調部４４は、ＬｉＮｂＯ３（ニオブ酸リチウム）結晶で形成された導波路に電界をかけることにより、導波路を通る光パルスに強度変調を施す。本実施形態のＬＮ強度変調器は、ＬｉＮｂＯ３結晶で形成された導波路に電界をかけるための電極をそれぞれ備えた２つの位相変調部を有する二電極型変調器である。第１の位相変調部４３および第２の位相変調部４４は、制御部４１から電圧信号に基づいた電圧を電極に印加することにより電界を生じさせて、入力されてくる光パルスに位相変調を施す。第１の位相変調部４３および第２の位相変調部４４で光パルスに位相変調が施される際の変調量は、電極に印加される電圧値によって制御される。
【００２７】
図５は、本実施形態のデコイ用変調部１３が出力する光パルスの強度と、第１の位相変調部４３および第２の位相変調部４４で施される位相変調量の差の関係を示したものである。第１の位相変調部２３で光パルスに施される位相変調の変調量をφ１、第２の位相変調部２４で光パルスに施される位相変調の変調量をφ２と表すとする。図５の横軸は、第１の位相変調部４３および第２の位相変調部４４でそれぞれ光パルスに施される位相変調量の差、すなわち、２つの導波路を通る光パルスの位相変調後の位相差φ１−φ２を示している。図５の縦軸は、デコイ用変調部１３から出力される光パルスの強度を示している。デコイ用変調部１３に入力される光パルスの強度をＩｉｎ、デコイ用変調部１３から出力される光パルスの強度をＩｏｕｔと表すとする。そのとき、出力される光パルスの強度Ｉｏｕｔは、Ｉｏｕｔ＝Ｉｉｎ×ｃｏｓ２（（φ１−φ２）/２）と表すことができる。よって、デコイ用変調部１３からの出力光の強度は図５に示すような特性を示す。本実施形態では、デコイ用変調部１３は、図５にＳ、ＤおよびＺとして示された強度の光パルスを出力するように制御される。図５のＳで示された強度ｓは、信号光に割り当てられる。また、図５のＤおよびＺで示される強度は、２つのデコイ光にそれぞれ割り当てられる。図５では、Ｄの強度ｄがｄ＝０．４×ｓを満たすようにデコイ光の１つとして用いるＤの強度が設定されている。また、もう１つのデコイ光として用いるＺの強度は光パルスの強度が０に設定されている。
【００２８】
図６は、本実施形態における第１の位相変調部４３および第２の位相変調部４４での位相変調量φ１およびφ２の組み合わせと、デコイ用変調部１３から出力される光パルスの強度の関係を示したものである。図６の出力光強度は最大出力となる強度を１として示している。出力光強度が最大出力となるのは、位相変調量がφ１＝φ２となる場合、すなわち、位相差が０°となる場合であるが、本実施形態の量子暗号送信装置１０では強度の割り当ては行われていない。本実施形態では信号光として用いる図５のＳで示した強度の信号の位相変調量をφ１＝０°、φ２＝９０°として出力強度が最大出力強度の５０パーセントとなるように設定している。また、位相変調量がφ１＝θ’、φ２＝１８０°となる組み合わせは、２つのデコイ光のうちの一方である図５のＤに割り当てられている。本実施形態では、Ｄに割り当てられた光パルスの強度がＳに割り当てられた光パルスの強度の４割の強度となるようにθ’が設定されている。このときのθ’は約５３°となる。位相変調量がφ１＝０°、φ２＝１８０°となる組み合わせは、２つのデコイ光のうちのもう一方である図５のＺに割り当てている。位相変調量がφ１＝θ’、φ２＝９０°となる組み合わせは、本実施形態では用いられていない。
【００２９】
図７は、本実施形態との対比のため、最大出力となる強度を信号光であるＳに割り当てた場合における、出力光の強度と２つの位相変調部での位相変調量の差の関係を示している。図７は、本実施形態のデコイ用変調部１３と構成が同じＬＮ強度変調器を用いた際に、最大出力となる強度を信号光であるＳに割り当てた場合について示したものである。図７の横軸は、図５と同様に２つの位相変調部での位相変調量の差を位相差として示している。また、図７の縦軸は、図５と同様にＬＮ強度変調器からの出力光の強度を示している。図７の例では、最大となる強度ｓに信号光であるＳを割り当てている、また、図７では強度ｓの４割の強度となるＤに２つのデコイ光のうちの１つを割り当て、強度０であるＺに、もう一方のデコイ光を割り当てている。Ｓを最大出力に割り当てた場合に、４割となる強度のＤは位相差が１０２°となる出力である。図８は、最大出力となる強度を信号光であるＳに割り当てた場合の位相変調量の組み合わせと出力光の強度との対応を図６と同様に示したものである。図７に示したような出力光の特性を持つように設定する場合には、図８に示す通り位相変調量がともに０である位相変調量の組み合わせが最大出力光となる信号光に割り当てられている。
【００３０】
上記で述べたとおり、本実施形態ではデコイ用変調部１３の最大出力となる強度は、デコイ方式で用いる信号光およびデコイ光には割り当てられていない。ここで、本実施形態のように各信号に強度の割り当てを行った場合と、最大出力となる強度を信号光に割り当てた場合とにおける、位相変調量の変動が出力光の強度に与える影響の比較を、図５および図７を参照して行う。本実施形態で信号光に割り当てられている図５のＳの位置は、位相差が一定量、変動した際の出力光の強度の変動が最大となる位置である。すなわち、出力光の強度測定により位相変調量の変動を検出しようとした場合に、図５のＳの位置は位相差の変動を強度測定によりもっとも敏感に検出できる。また、信号光は選択される頻度が極めて高いので、デコイ用変調部１３の後段にある光検出部１５で検出された強度の変動を信号光の位相差の変動、すなわち、位相変調量の変動とみなすことができる。よって、デコイ用変調部１３からの出力される光パルスの強度の平均値を用いて、信号光の位相変調量の変動を検出することが可能となる。
【００３１】
一方、最大出力強度の位置にＳを設定した図７の場合には、Ｓの付近では位相差が一定量変動したときの強度の変動が最も小さい。よって、図７の場合には、強度測定では位相差の変動を十分に検出できない場合がある。図７の場合に、Ｄの位置で強度測定を行うことも考えられ得るが、デコイ光に割り当てられているＤの位置の強度が選択される頻度は小さい。よって、Ｄの位置の強度が選択された光パルスのみの強度を分離して検出することは困難である。そのため、最大出力強度を信号光を割り当てた図７の場合でも、Ｓの位置での強度の測定をする必要があるため、位相変調量の変動の検出精度は本実施形態に比べて大きく劣る可能性がある。信号光は強度の変動が小さいため影響は小さいが、位相変調量の変動を検出できないと、異常がないものと判断されて動作が継続され得る。その場合に、位相変調量の変動に対する強度の変動が大きな領域に設定されているデコイ光の強度が大きく変動したまま動作が継続されてしまう恐れがある。本実施形態では、信号光の強度に最大出力強度以外の強度を割り当てることで、強度測定結果を基に位相変調量の変動を敏感に検出することができる。そのため、信号光の強度変動を検出して位相変調量を補正することができ、信号光だけでなくデコイ光の出力強度の変動も抑制することができる。また、位相差の変化に対しての強度の変動が最大となる強度に信号光の強度を設定することにより、位相変動量の検出精度の向上の効果は最も高くなる。
【００３２】
光減衰部１４は、光パルスに含まる平均光子数が所定の数となるように入力される光パルスの強度の減衰を行う機能を有する。本実施形態では、光減衰部１４には可変光減衰器が用いられる。本実施形態では、光減衰部１４から出力される光パルスの強度は量子暗号通信システムの設計に応じて設定されている。また、光減衰部１４から出力される光パルスの強度の設定に応じた減衰量は、量子暗号送信装置１０の設置の際、または、量子暗号通信システムの保守や調整の際などにあらかじめ設定されている。そのような構成に代えて、光減衰部１４の減衰量を、光検出部１５が検出する強度に応じて制御する構成とすることもできる。
【００３３】
光検出部１５は、デコイ用変調部１３と光減衰部１４の間で分岐された光パルスの強度を測定する機能を有する。光検出部１５は、フォトダイオードを備え、入力された光パルスの強度を電気信号に変換する。光検出部１５で検出される光パルスの強度は、所定の時間に光検出部１５に入力される光パルスの強度の平均値となる。光検出部１５は、強度の測定結果をデコイ用変調部１３の補正量制御部４２に出力する。光検出部１５には、デコイ用変調部１３から出力される３つの種類の強度の光パルスが全て入力される。しかし、信号光の発生割合および光パルスの強度がデコイ光に比べて高いため、検出される光パルスの強度はほぼ信号光によるものであり、デコイ光の強度はほとんど測定結果には現れない。よって、光検出部１５で測定される光パルスの強度を、信号光の強度とみなすことができる。
【００３４】
鍵蒸留処理部１６は、量子暗号送信装置１０における量子暗号鍵の生成に関する全般的な制御を行う機能を有する。鍵蒸留処理部１６は、符号化部１２に光パルスに付加する符号の情報を送る。また、鍵蒸留処理部１６は、デコイ用変調部１３にデコイ方式に対応した光パルスの強度の情報を送る。鍵蒸留処理部１６は、第１の乱数発生部と第２の乱数発生部の２つの乱数発生機能を有している。鍵蒸留処理部１６は、第１の乱数発生部が発生させた乱数を基に、ＢＢ８４プロトコルに対応した４種類の符号のいずれかを選択して、選択した符号の情報を符号化部１２へと送る。４種類の符号は乱数に基づいてランダムに選択されるように設定されている。また、鍵蒸留処理部１６は、選択した符号の情報とその符号を出力した時刻の情報を保存する。鍵蒸留処理部１６は、第２の乱数発生部が発生させた乱数を基に、３つの異なる強度のいずれかを選択し、選択した強度の情報をデコイ用変調部１３へと送る。３つの異なる強度は、１つの信号光と２つのデコイ光に対応する。また、鍵蒸留処理部１６は、選択した強度の情報とその強度の情報を出力した時刻を保存する。各強度が選択される頻度は図３に示すようにあらかじめ設定され、乱数を割り当てる際の条件として鍵蒸留処理部１６にあらかじめ保存されている。
【００３５】
鍵蒸留処理部１６は、量子暗号受信装置２０の鍵蒸留処理部２３と通信ネットワーク３２を介して、量子暗号鍵の生成に必要なデータおよび盗聴の有無を判断するためデータの送受信を行う。鍵蒸留処理部１６は、符号化部１２で光パルスに付加した符号の情報と量子暗号受信装置２０の鍵蒸留処理部２３から送られてくるデータを照合して、量子暗号鍵の生成を行う。また、鍵蒸留処理部１６は、量子暗号受信装置２０の鍵蒸留処理部２３から送られてくるデコイ用の光パルスの検出結果と、デコイ用変調部１３に出力した強度の情報を基に、光ネットワーク３１上での盗聴行為の有無の判断を所定の方法で行う機能を有する。
【００３６】
量子暗号受信装置２０は、復号部２１と、光子検出部２２と、鍵蒸留処理部２３とを備えている。復号部２１は、入力された光パルスに鍵蒸留処理部２３から送られてくる位相変調量の情報に基づいて位相変調を施す機能を有する。復号部２１で光パルスに位相変調を施す際の変調量は、量子暗号送信装置１０の符号化部１２で施される位相変調量に対応するように設定されている。本実施形態の復号部２１で光パルスに施される位相変調量は０またはπ／２として設定されている。本実施形態の復号部２１は、マッハツェンダ干渉計と位相変調器とを備えている。復号部２１に入力された光パルスは２つの導波路に分岐され、一方の導波路を通る光パルスが位相変調器に入力される。２つの導波路の光路長の差は、量子暗号送信装置１０の符号化部１２の光路長の差と一致するように設計されている。２つの導波路を通った光パルスは、一方の導波路の光パルスに位相変調が施された後に、干渉効果を用いて１つの導波路へと送られて光子検出部２２に入力される。
【００３７】
光子検出部２２は、入力される光パルスの光子数と２連パルスの位相差を検出する機能を有する。光子検出部２２は、検出した光パルスの光子数と位相差の情報を鍵蒸留処理部２３へと送る機能を有する。
【００３８】
鍵蒸留処理部２３は、量子暗号受信装置２０における暗号鍵の生成に関する全般的な制御を行う機能を有する。鍵蒸留処理部２３は、復号部２１での位相変調量として設定された２種類の変調量をランダムに選択する際に用いる乱数を発生させる乱数発生部を備えている。鍵蒸留処理部２３は、乱数発生部２３で発生させた乱数を基に、２種類の位相変調量のいずれかを選択する。鍵蒸留処理部２３は、選択した位相変調量の情報を復号部２１へ送る。また、鍵蒸留処理部２３は、選択した位相変調量の情報と位相変調量の情報を復号部２１へ出力した時刻を保存する。鍵蒸留処理部２３は、光子検出部２２から検出した光子数と位相差の情報を受け取ると、受け取った情報を検出した光子が含まれる光パルスに位相変調を施した際の位相変調量の情報と時刻の情報に関連付けて保存する。
【００３９】
鍵蒸留処理部２３は、量子暗号送信装置１０の鍵蒸留処理部１６と通信ネットワーク３２を介して、量子暗号鍵の生成に必要なデータおよび盗聴の有無を判断するためデータの送受信を行う。鍵蒸留処理部２３は、復号部２１で光パルスに施した位相変調量および光子検出部２２で検出した位相の情報と、量子暗号送信装置１０の鍵蒸留処理部１６から送られてくるデータを照合して、量子暗号鍵の生成を行う。また、鍵蒸留処理部２３は、量子暗号送信装置１０の鍵蒸留処理部１６から送られてくるデコイ用の光パルスの強度の情報と、光子検出部２２での検出結果を基に、光ネットワーク３１上での盗聴行為の有無の判断を所定の方法で行う機能を有する。
【００４０】
光ネットワーク３１は、光ファイバおよび中継装置等で構成され、量子暗号送信装置１０から送信された光パルスを量子暗号受信装置２０へと伝送する。また、通信ネットワーク３２は光通信ネットワーク等で構成されている。量子暗号送信装置１０および量子暗号受信装置２０は、通信ネットワーク３２を介して双方向でデータの送受信を行う。また、通信ネットワーク３２には、量子暗号送信装置１０および量子暗号受信装置２０以外の情報装置等のデータの伝送に用いられている通信ネットワークを共用で利用することもできる。
【００４１】
本実施形態の量子暗号通信システムにおいて、量子暗号送信装置１０から量子暗号受信装置２０に光ネットワーク３１を介して量子暗号鍵が送信される際の動作について説明する。光源部１１は、所定の波長および強度で光パルスを生成して符号化部１２へと出力する。符号化部１２は、光パルスが入力されると鍵蒸留処理部１６からの情報に基づいて、入力された光パルスに暗号鍵情報を付加する。本実施形態では、鍵蒸留処理部１６においてＢＢ８４プロトコルに従って符号化された情報が位相変調方式により光パルスに付加される。鍵蒸留処理部１６は、内部で発生させた乱数に基づいて、４種類の符号から１つの符号をランダムに選択する。鍵蒸留処理部１６は、符号化部１２に出力した符号の情報と符号の情報を出力した時刻を保存している。
【００４２】
符号化部１２は、入力された光パルスを光路長の異なる２つの導波路に分岐して２連パルスを生成する。符号化部１２は、２連パルスのうち、一方の導波路を通過した光パルスに対して鍵蒸留処理部１６からの情報に基づいて位相変調を施す。位相変調は２連パルスの位相差が、各符号に割り当てられた４つの位相差のいずれかとなるように施される。符号と位相差の関係は、あらかじめ符号化部１２に保存されている。本実施形態では、各符号が０、π、π／２、３π／２の４つの位相差の状態に割り当てられている。符号化部１２で位相変調が行われた光パルスはデコイ用変調部１３に入力される。
【００４３】
デコイ用変調部１３に光パルスが入力されると、入力された光パルスは２つの導波路へと分岐される。鍵蒸留処理部１６は、デコイ方式に対応した各強度の光パルスを生成するための強度の情報をデコイ用変調部１３へと送る。鍵蒸留処理部１６は３つの設定強度のうちいずれかの強度を選択して、選択した強度の情報をデコイ用変調部１３へと送る。鍵蒸留処理部１６は、３つの設定強度が図３に示すような頻度になるように強度の選択を行う。蒸留処理部１６は、３つの設定強度のいずれかが図３に示すような頻度の条件を満たしつつ、ランダムに選択されるように強度の選択を行う。また、鍵蒸留処理部１６は、選択した強度の情報とデコイ用変調部１３に選択した強度の情報を出力した時刻を関連付けて保存する。
【００４４】
デコイ用変調部１３の制御部４１は、鍵蒸留処理部１６から入力される強度の情報と補正量制御部４２から送られてくる補正量の情報に基づいて、位相変調部での位相変調量を算出し、電圧信号に変換する。制御部４１は変換した電圧信号を、第１の位相変調部４３および第２の位相変調部４４にそれぞれ送る。それぞれの導波路に備えられた位相変調部は、制御部４１から送られてくる電圧信号に基づいて光パルスが通過する導波路に電界をかけ、光パルスに位相変調を施す。第１の位相変調部４３および第２の位相変調部４４でそれぞれ位相変調が施された光パルスは、干渉効果によって１つの光パルスとなるように１つの導波路へと送られる。１つの導波路へと送られた光パルスはデコイ用変調部１３から出力される。デコイ用変調部１３において位相変調が施されて出力される光パルスは、信号光または２種類の強度のデコイ光の３つの強度のうちいずれかの強度の光パルスとなる。デコイ用変調部１３から出力された光パルスは光減衰部１４へと送られる。また、デコイ用変調部１３から光減衰部１４へと送られる光パルスの一部は分岐されて光検出部１５へと入力される。
【００４５】
光検出部１５に光パルスが入力されると、光検出部１５は入力された光パルスの強度を測定して、測定した光パルスの強度の情報を補正量制御部４２に送る。光検出部１５が、測定する光パルスの強度は所定の時間あたりの強度の平均値である。補正量制御部４２は、光パルスの強度の情報を受け取ると強度の情報を基に位相変調量の補正量を算出する。補正量制御部４２は、強度と位相変調量の補正量の関係をあらかじめ保存している。補正量制御部４２は、位相変調量の補正量を算出すると、補正量の情報を制御部４１へと送る。制御部４１は補正量の情報を受け取ると、補正量の情報を受け取った以降に新たな算出する位相変調量について、受け取った補正量の情報に基づいて位相変調量を算出する。
【００４６】
光減衰部１４にデコイ用変調部１３から光パルスが入力されると、光減衰部１４は所定の減衰量で光パルスの減衰を行う。光減衰部１４で減衰が行われた光パルスは、量子暗号送信装置１０から光ネットワーク３１へと出力される。
【００４７】
量子暗号受信装置２０に光ネットワーク３１を介して量子暗号受信装置１０からの光パルスが入力されたとする。量子暗号受信装置２０に入力された光パルスは復号部２１へと送られる。復号部２１に光パルスが入力されると、２つの導波路に分岐される。復号部２１は、２つの導波路のうち一方の導波路に入力された光パルスに位相変調を施す。復号部２１は、２連パルスのうち量子暗号送信装置１０の符号化部１０で位相変調が行われなかった側のパルスに位相変調を施す。復号部２１は、鍵蒸留処理部２３から送られてくる位相変調量の情報に基づいて、光パルスに位相変調を施す。本実施形態では、位相変調量は０またはπ／２として設定されている。位相変調量は、鍵蒸留処理部２３の乱数発生部で発生させた乱数に基づいてランダムに選択される。また、鍵蒸留処理部２３は、復号部２１に位相変調量の情報を送る際に、位相変調量の情報と情報を送った時刻の情報を関連付けて保存している。一方の導波路の光パルスに位相変調が施された後、２つの導波路の光パルスはマッハツェンダ干渉計により互いに干渉させたのちに出力される。復号部２１の２つの導波路の光路長の差は、量子暗号送信装置１０の符号化部１２の２つの導波路の光路長の差と同じになるように設計されている。
【００４８】
復号部２１から出力された光パルスは光子検出部２２へと送られる。光子検出部２２に光パルスが入力されると、光子検出部２２は入力された光パルスのうち２連パルスの位相差が０の光パルスと位相差がπの光パルスの光子数を計測して、位相差の情報と光子数の情報を鍵蒸留処理部２３へと送る。鍵蒸留処理部２３は、位相差と光子数の情報を受け取ると復号部２３に出力した位相変調量の情報および時刻の情報と関連付けて保存する。
【００４９】
次に、量子暗号送信装置１０および量子暗号受信装置２０が、それぞれ量子暗号鍵を生成する際の動作について説明する。量子暗号受信装置２０の鍵蒸留処理部２３は、復号部２１で光パルスに施した位相変調量の情報と光子検出部２２で検出した際の位相差の情報を時刻の情報とともに通信ネットワーク３１を介して量子暗号受信装置１０へと送る。
【００５０】
量子暗号送信装置１０は、量子暗号受信装置２０から光パルスに施した位相変調量の情報等を受け取ると、受け取った情報を基にビット列を生成する。ビット列の生成は、例えば、次のように行うことができる。量子暗号送信装置１０は、符号化部１２において位相変調を行った際の位相差が０の光パルスに対して、復号部２１での位相変調量が０で位相差が０の光パルスを検出したとの情報を受け取った場合は、「０」を割り当てる。量子暗号装置１０は、符号化部１２において位相変調を行った際の位相差がπの光パルスに対して、復号部２１での位相変調量が０で位相差がπの光パルスを検出したとの情報を受け取った場合は、「１」を割り当てる。量子暗号装置１０は、符号化部１２において位相変調を行った際の位相差がπ／２の光パルスに対して、復号部２１での位相変調量がπ／２で位相差が０の光パルスを検出したとの情報を受け取った場合は、「０」を割り当てる。量子暗号送信装置１０は、符号化部１２において位相変調を行った際の位相差が３π／２の光パルスに対して、復号部２１での位相変調量がπ／２で位相差がπの光パルスを検出したとの情報を受け取った場合は、「１」を割り当てる。互いの装置がそれぞれ施した変調量等の組み合わせが他の組み合わせの場合は、組み合わせの正否を確定できないため鍵蒸留処理部１６は、ビット列を生成するための情報としては用いない。すなわち、鍵蒸留処理部１６は、互いの装置が光パルスに施した位相変調量と検出した位相差の情報から組み合わせが正しいと確定できる場合のみビットを割り当ててビット列を生成する。
【００５１】
鍵蒸留処理部１６は、ビット列の生成に用いた光パルスの時刻情報と符号化部１２が光パルスに施した位相変調量の情報を、通信ネットワーク３１を介して量子暗号受信装置２０に送信する。量子暗号受信装置２０は、通信ネットワーク３１を介して量子暗号送信装置１０から時刻情報と位相変調量の情報を受け取ると、受け取った情報と自装置に保存されている情報を基にビット列を生成する。量子暗号受信装置２０の鍵蒸留処理部２３は、次のようにビット列の生成を行う。鍵蒸留処理部２３は、時刻情報を基に受け取った情報に含まれる光パルスと自装置に保存されている情報に含まれる光パルスとの対応を照合する。鍵蒸留処理部２３は、復号部２１での変調量が０で位相差が０として検出した光パルスに対して、符号化部１２での位相変調量が０との情報を受け取った場合は、「０」を割り当てる。鍵蒸留処理部２３は、復号部２１での変調量が０で位相差がπとして検出した光パルスに対して、符号化部１２での位相変調量がπとの情報を受け取った場合は、「１」を割り当てる。鍵蒸留処理部２３は、復号部２１での変調量がπ／２で位相差がπとして検出した光パルスに対して、符号化部１２での位相変調量が３π／２との情報を受け取った場合は、「１」を割り当てる。鍵蒸留処理部２３は、復号部２１での変調量がπ／２で位相差が０として検出した光パルスに対して、符号化部１２での位相変調量がπ／２との情報を受け取った場合は、「０」を割り当てる。互いの装置がそれぞれ施した変調量等の組み合わせが他の組み合わせの場合は、組み合わせの正否を確定できないため鍵蒸留処理部２３は、ビット列を生成するための情報としては用いない。
【００５２】
以上のように、量子暗号送信装置１０および量子暗号受信装置２０は、それぞれ確定できる情報を基にビット列の生成を行う。また、量子暗号送信装置１０および量子暗号受信装置２０が共有する情報から確定できるビット列は同一であるため、量子暗号送信装置１０および量子暗号受信装置２０は同一のビット列の情報を得ることができる。量子暗号送信装置１０および量子暗号受信装置２０が生成したビット列の情報は、２つの装置間で共有して用いる量子暗号鍵として利用される。生成された量子暗号鍵は、量子暗号送信装置１０および量子暗号受信装置２０がそれぞれ備えられた情報処理装置等に出力されて秘匿情報の閲覧等に用いられる。
【００５３】
また、鍵蒸留処理部１６および鍵蒸留処理部２３は、量子暗号鍵のためのビット列を生成する際に誤り訂正処理や秘匿増強処理を併せて行う。誤り訂正処理は、光ネットワーク３１上での伝送エラー等によりビット列の生成時に生じるエラーを補正する処理である。例えば、鍵蒸留処理部１６および鍵蒸留処理部２３がそれぞれ生成したビット列の所定のブロックごとのパリティを計算し、パリティの情報を交換することによりエラーの発生個所を検出することができる。エラーが発生したブロックについては、量子暗号送信装置１０から再度、量子暗号鍵の生成のための情報を付加した光パルスを光ネットワーク３１を介して、量子暗号受信装置２０に送る。鍵蒸留処理部１６および鍵蒸留処理部２３が、位相変調量および検出結果の情報を通信ネットワーク３２を介して共有して、通常と同様にビットを割り当てることにより、エラーを補正することができる。
【００５４】
秘匿増強処理は、例えば、鍵蒸留処理部１６および鍵蒸留処理部２３がそれぞれ生成したビット列を所定の方法で２つずつ組み合わせ、排他的論理和を計算してビット列を生成することにより行うことができる。鍵蒸留処理部１６および鍵蒸留処理部２３は排他的論理和を計算して生成したビット列を量子暗号鍵とする。このような処理を行う場合は、２つのブロックの情報を正しく得ていないと生成するビット列を正しく生成することができないので、秘匿性が向上する。
【００５５】
量子暗号受信装置２０が検出した各時刻の光パルスの光子数の情報は、量子暗号受信装置１０との間で共有される。量子暗号受信装置１０が保存している信号光と２つのデコイ光の強度のいずれを選択したかの情報と、量子暗号受信装置２０が検出した光子数の情報を基に光ネットワーク３１上での第三者の盗聴行為、すなわち、情報の漏えいの有無の検証が行われる。
【００５６】
本実施形態の量子暗号通信システムはデコイ方式を用いており、量子暗号送信装置から送信される光パルスが３つの異なる強度のいずれかの強度の光パルスとなるように、デコイ用変調部で光パルスに強度変調が施されている。本実施形態においてデコイ方式用の強度の異なる光パルスを得るための強度変調は、光パルスを２つの導波路に分岐して、それぞれに位相変調を施した光パルスを干渉させることにより行っている。また、本実施形態では強度の異なる光パルスのうち、信号光として用いる強度が最も大きな光パルスの出力強度をデコイ用変調部の最大出力以外に設定している。信号光は最も頻度が高く、強度も大きいため、光検出部で測定された強度を信号光の強度とみなすことができる。光検出部で検出された強度を信号光の強度の設定から想定される所定の設定値と比較することにより、デコイ用変調部での位相変調量の変動の有無を検出することができる。本実施形態のデコイ用変調部では、最大出力の場合に比べて、最大出力以外の場合の方が位相変調量の変動に対する出力強度の変化が大きい。そのため、強度を最大出力以外に設定することにより、位相変調量の変動を強度測定の結果を基に検出する際の検出感度が向上する。また、出力強度を測定する際の対象となる信号光の強度を位相差に対する強度変化が最も大きい強度となるように設定することにより、位相変調量の変動の検出の精度を高める効果は最も高くなる。以上のことから、本実施形態の量子暗号送信装置は、位相変調量の変動を精度高く検出することができるので、その結果を基に位相変調量の補正の精度を高めることができる。その結果、本実施形態の量子暗号通信システムでは、光パルスに強度変調を施す際の出力強度の変動を十分に抑制することができる
第２の実施形態の量子暗号送信装置は、デコイ用変調部として二電極型変調器のＬＮ強度変調器を備えていた。このような構成に代えて、２値化が可能な１系統の変調部のみを備える強度変調器を２台直列に配列することにより、３種類の強度の光パルスを生成するデコイ用変調部を構成することもできる。
【００５７】
第２の実施形態の量子暗号送信装置は、光減衰部として可変光減衰器をデコイ用変調部の後段に備えていたが、デコイ用変調部と光減衰部を一体のものとして構成することもできる。また、デコイ用変調部において位相変調および干渉効果によって行う強度変調を行う際に、デコイ方式の各強度の光パルスの平均光子数の強度となるように光パルスに強度変調を施す構成とすることができる。すなわち、デコイ用変調部で光パルスに強度変調を施す際に、出力される光パルスの強度が図３に示すような平均光子数の強度になるように強度変調を施す。デコイ用変調部でデコイ方式の各強度の光パルスの平均光子数の強度となるように強度変調を施す場合は、位相変調量の補正量を決定するために試験用の光パルスを用いる。そのような場合には、所定の強度の試験用の光パルスをデコイ用変調部から出力し、光検出器で強度を測定した結果に基づいて位相変調量の補正を行う。第２の実施形態の構成に代えてこのような構成を用いることにより、量子暗号送信装置はデコイ用変調部と光減衰部を独立して備える必要がなく、デコイ用変調部のみを備えればよいため、装置構成を簡略化することができる。
【００５８】
また、第２の実施形態の量子暗号送信装置では、符号化部の後にデコイ用変調部を備えている。このような構成に代えて、デコイ用変調部の後に符号化部を備える構成とすることもできる。すなわち、デコイ用変調部によりデコイ方式用の所定の強度の光パルスとなるように強度変調を施した後に、所定のアルゴリズムに基づいた量子暗号鍵の符号の情報を光パルスに付加してもよい。強度変調が先となる場合は、デコイ用変調部の後段に光検出部を備えて、光パルスの強度の測定結果を基に位相変調量を補正する構成とすることができる。
【００５９】
第２の実施形態の量子暗号通信システムはＢＢ８４プロトコルに基づいた位相コーディング方式とデコイ方式を用いて量子暗号鍵の配送を行っているが、他のプロトコルやコーディング方式を用いることもできる。他のコーディング方式としては、例えば、Ｔｉｍｅ−ｂｉｎコーディングや偏光コーディングを用いることもができる。他のコーディング方式を用いる場合は、符号化部および復号部はコーディング方式に応じた構成とする。
【００６０】
上記の実施形態の一部又は全部は、以下の付記のようにも記載されうるが、以下には限られない。
【００６１】
（付記１）
入力された光パルスに強度変調を施して出力パルスとして出力する強度変調手段と、
前記出力パルスの強度を検出する検出手段と、
前記出力パルスの強度を基に変調量を補正して、最大出力以外の複数段階で設定されている強度から選択された出力強度となるように前記強度変調手段の変調量を制御する制御手段と
を備えていることを特徴とする変調装置。
【００６２】
（付記２）
前記強度変調手段は、所定の位相変調法および光の干渉効果を用いて強度変調を施すことを特徴とする付記１に記載の変調装置。
【００６３】
（付記３）
前記出力パルスを、１つの光パルスに含まれる平均光子数が所定の数以下となるように減衰する減衰手段をさらに備え、
前記検出手段は、前記減衰手段で減衰が行われる前に前記出力パルスの強度を測定することを特徴とする付記１または２いずれかに記載の変調装置。
【００６４】
（付記４）
前記強度変調手段は、前記光パルスに前記強度変調を施す際に、１つの光パルスに含まれる平均光子数が所定の数以下となるような強度の前記出力パルスとすることを特徴とする付記１または２いずれかに記載の変調装置。
【００６５】
（付記５）
前記強度変調手段は入力された試験用の光パルスに最大出力以外の所定の強度となるように強度変調を施して前記出力パルスとし、前記検出手段は、試験用の前記光パルスに強度変調が施された前記出力パルスの強度を検出することを特徴とする付記１から４いずれかに記載の変調装置。
【００６６】
（付記６）
前記制御手段は、前記強度変調手段の位相変調量の変動に対する出力強度の変動が最大となる強度を、複数段階で設定されている強度のうちの最大強度として制御することを特徴とする付記２から５いずれかに記載の変調装置。
【００６７】
（付記７）
複数段階で設定されている強度のうちの最大強度が選択される頻度が最も高いことを特徴とする付記１から６いずれかに記載の変調装置。
【００６８】
（付記８）
付記１から７いずれかに記載の変調装置と、
前記光パルスを生成する光源と、
を備えていることを特徴とする送信装置。
【００６９】
（付記９）
付記８に記載の送信装置と、
前記出力パルスを受信する受信手段と、受信した前記出力パルスの光子数を検出する光子検出手段とを有する受信装置と
を備えていることを特徴とする通信システム。
【００７０】
（付記１０）
入力された光パルスに強度変調を施して出力パルスとして出力し、
前記出力パルスの強度を検出し、
前記光パルスの強度を基に変調量を補正して、最大出力以外の複数段階で設定されている強度から選択された出力強度となるように変調量を制御することを特徴とする変調方法。
【００７１】
（付記１１）
所定の位相変調法および光の干渉効果を用いて強度変調を施すことを特徴とする付記９に記載の変調方法。
【００７２】
（付記１２）
前記出力パルスを分岐して前記出力パルスの強度を検出し、強度の検出を行わなかった側の前記出力パルスを、１つの光パルスに含まれる平均光子数が所定の数以下となるように減衰することを特徴とする付記１０または１１いずれかに記載の変調方法。
【００７３】
（付記１３）
前記光パルスに前記強度変調を施す際に、１つの光パルスに含まれる平均光子数が所定の数以下となるような強度の前記出力パルスとすることを特徴とする付記１０または１１いずれかに記載の変調方法。
【００７４】
（付記１４）
入力された試験用の光パルスに最大出力以外の所定の強度となるように強度変調を施して前記出力パルスとし、試験用の前記光パルスに強度変調が施された前記出力パルスの強度を検出することを特徴とする付記１０から１３いずれかに記載の変調方法。
【００７５】
（付記１５）
位相変調量の変動に対する出力強度の変動が最大となる強度を、複数段階で設定されている強度のうちの最大強度として変調量を制御することを特徴とする付記１１から１４いずれかに記載の変調方法。
【００７６】
（付記１６）
複数段階で設定されている強度のうちの最大強度が選択される頻度が最も高いことを特徴とする付記１０から１５いずれかに記載の変調方法。
【産業上の利用可能性】
【００７７】
本発明は、量子暗号通信システムに関するものであり、特に、デコイ方式を用いた量子暗号通信システムに利用することができる。
【符号の説明】
【００７８】
１０    量子暗号送信装置
１１    光源部
１２    符号化部
１３    デコイ用変調部
１４    光減衰部
１５    光検出部
１６    鍵蒸留処理部
２０    量子暗号受信装置
２１    復号部
２２    光子検出部
２３    鍵蒸留処理部
３１    光ネットワーク
３２    通信ネットワーク
４１    制御部
４２    補正量制御部
４３    第１の位相変調部
４４    第２の位相変調部
１０１    強度変調手段
１０２    検出手段
１０３    制御手段
【図１】
2015122675.tif 000003
【図２】
2015122675.tif 000004
【図３】
2015122675.tif 000005
【図４】
2015122675.tif 000006
【図５】
2015122675.tif 000007
【図６】
2015122675.tif 000008
【図７】
2015122675.tif 000009
【図８】
2015122675.tif 000010